(57)【特許請求の範囲】
【請求項１】
基地局からの無線信号を受信する受信手段と、基地局へ無線信号を送信する送信手段と、ベースバンド信号を前記無線信号に変調し、かつ前記無線信号をベースバンド信号に復調する変復調手段と、通話信号と制御信号を前記ベースバンド信号に符号化し、かつ前記ベースバンド信号を通話信号と制御信号に復号化する符号復号手段と、音声を前記通話信号に変換する送話器および音声符号手段と、前記通話信号を音声に変換する受話器および音声復号手段と、前記制御信号により自装置の動作を制御し、前記基地局に必要な情報を前記制御信号として送る制御手段と、受信回路の受信帯域を可変する手段と、を備え、
前記受信手段は、受信チャネルの無線信号レベル、または、全受信チャネルの無線信号レベルを検出する受信信号強度検出手段を備え、
前記受信帯域を可変する手段は、受信信号強度検出手段によって得られた受信信号強度、および受信パイロット強度に関連して動作することを特徴とする携帯電話装置。
【請求項２】
前記受信手段は、受信信号の符号誤り率を検出する手段を備え、
前記受信帯域を可変する手段は、受信信号の符号誤り率に関連して動作することを特徴とする請求項１に記載の携帯電話装置。
【請求項３】
符号分割多元接続方式とアナログ方式のいずれかを選択する場合であって、前記受信帯域を可変する手段は、符号分割多元接続方式で通信を行う場合に動作することを特徴とする請求項１または２に記載の携帯電話装置。
【発明の詳細な説明】
【０００１】
【発明の属する技術分野】
本発明は、携帯電話装置に関し、特に、受信回路の受信帯域を可変する手段を備えたことを特徴とする携帯電話装置に関する。
【０００２】
【従来の技術】
携帯電話装置における受信回路には、低相互変調ひずみと低消費電力という相反する特性が要求されている。
【０００３】
受信回路の相互変調ひずみとは、入力波の中に存在する２またはそれ以上の成分周波数の整数倍の周波数の和および差の周波数成分が現れるもので、増幅器や周波数変換器の非直線特性によるものである。
【０００４】
したがって、受信回路の増幅器や周波数変換器においては、受信信号のレベルが大きくなれば、それに伴いダイナミックレンジを拡大して、相互変調ひずみを低減する必要がある。しかしながら、ダイナミックレンジを拡大するには、受信回路の増幅器や周波数変換器の動作電圧や動作電流を増加させる必要がある。
【０００５】
符号分割多元接続方式とアナログ方式を共用するデュアルモード方式において、従来の技術では、受信帯域内の強力なアナログ方式の信号に対して相互変調歪みによる信号が発生しないように十分な相互変調ひずみ特性を確保する必要があり、消費電力を低減することが困難であった。
【０００６】
【発明が解決しようとする課題】
本発明は、携帯電話の受信回路の受信帯域を可変にすることが可能な携帯電話装置を提供することを目的とする。
【０００８】
【課題を解決するための手段】
本発明の携帯電話装置は、基地局からの無線信号を受信する受信手段と、基地局へ無線信号を送信する送信手段と、ベースバンド信号を前記無線信号に変調し、かつ前記無線信号をベースバンド信号に復調する変復調手段と、通話信号と制御信号を前記ベースバンド信号に符号化し、かつ前記ベースバンド信号を通話信号と制御信号に復号化する符号復号手段と、音声を前記通話信号に変換する送話器および音声符号手段と、前記通話信号を音声に変換する受話器および音声復号手段と、前記制御信号により自装置の動作を制御し、前記基地局に必要な情報を
前記制御信号として送る制御手段と、受信回路の受信帯域を可変する手段と、を備える。
前記受信手段は、受信チャネルの無線信号レベル、または、全受信チャネルの無線信号レベルを検出する受信信号強度検出手段を備え、前記受信帯域を可変する手段は、受信信号強度検出手段によって得られた受信信号強度、および受信パイロット強度に関連して動作することを特徴とする。
【００１３】
【発明の実施の形態】
以下、図面を用いて本発明の実施例について説明する。
【００１４】
図１は本発明の第１の実施例における携帯電話装置の構成図である。
【００１５】
まず、受信系統では、基地局（図示せず）から送られた無線通信信号は、アンテナ１を介してデュプレクサ２に入力される。信号は、ここで受信周波数（全受信チャネル）帯域が制限されて低雑音増幅器１１に導かれる。低雑音増幅器１１で増幅された信号は、さらに高周波帯域通過フィルタ１２で受信周波数（全受信チャネル）帯域が制限されて、周波数混合器１３で中間周波数に変換される。そして、この受信中間周波信号は、中間周波帯域通過フィルタ１４で信号帯域が制限された後、可変利得増幅器１５で必要なレベルにまで増幅されて、復調器１６により復調される。復調後のベースバンド信号は、ベースバンド信号処理回路６で復号化される。ここで、復号化され出力される信号には、デジタル制御信号とデジタル通話信号とがあり、このうちデジタル制御信号は制御回路５に供給され識別される。一方、デジタル通話信号はアナログ通話信号に戻された後、受話器７から出力される。
【００１６】
また、可変利得増幅器１５は受信信号強度（ＲＳＳＩ）を測定する機能を有し、この受信信号強度信号も制御回路５に供給され、識別される。
【００１７】
これに対し、送信系統では、送話音声は、送話器８で送話信号に変換された後、ベースバンド信号処理回路６でデジタル送話信号に変換される。このデジタル送話信号は制御回路５で生成されるデジタル制御信号と共にベースバンド信号処理回路６で符号化された後に、変調器２６に入力され直交変調信号に変調される。変調信号は、中間周波帯域フィルタ２４で信号帯域を制限し可変利得増幅器２５で基地局から要求されている出力レベルになるように調整され、周波数混合器２３で所定の周波数チャネルの高周波信号に変換される。そして、高周波帯域通過フィルタ２２で不要なスプリアス信号を除去し、電力増幅器２１で所要の出力レベルにまで増幅された後に、デュプレクサ２を介してアンテナ１から基地局に送信される。
【００１８】
また、局部発振系統では、制御回路５で制御される可変周波数発振器３１で局部発信周波数を発振する。局部発振信号は、発振器が負荷の変動の影響を受けて周波数が変化しないように、緩衝増幅器３２により増幅されてから、信号分配器３３により分配され、受信系統の周波数混合器１３と送信系統の周波数混合器２３に同時に供給される。
【００１９】
さらに、制御回路５はマイクロコンピュータを主制御部として備えたもので、可変周波数発振器３１の周波数の設定や、復調器１６の入力レベルが適切になるように可変利得増幅器１５の利得を調整したり、送信出力レベルが適切になるように可変利得増幅器２５の利得を調整するほか、各部の制御を行う機能を有している。
【００２０】
次に、本発明の実施例における受信相互変調ひずみについて説明する。図２は本発明の実施例における受信相互変調ひずみの説明図である。
【００２１】
図２において、携帯電話は、ＣＤＭＡ（符号分割多元接続）方式とアナログ方式とのデュアルモードに対応するため、基地局と通信を行う周波数帯ｆｄは、ＣＤＭＡ方式の周波数帯ｆｃとアナログ方式の周波数帯ｆａを含んでいる。いま、ＣＤＭＡ方式チャネルの信号４１で通信を行っている時に、アナログ方式の周波数帯ｆａの中にアナログ方式チャネルの信号４２が、２波あって、携帯電話の受信部にこれらの信号が同時に入力されると、受信部の非直線ひずみにより、３次相互変調ひずみによる信号４３が発生する。通常は、この３次相互変調ひずみによる信号４３が発生しないように受信機のダイナミックレンジを十分大きく取るように設計するが、小型化や低消費電力という点から相反する性能であるので、おのずと限界があり、基地局のアンテナが見通せるような場所や、基地局に非常に近接した場所では、性能を満足することが難しい。図２に示すように３次相互変調ひずみによる信号４３がＣＤＭＡ方式チャネルの信号４１の信号に重なってしまうような場合には、受信信号の品質が低下してしまう。
【００２２】
そこで、可変利得増幅器１５によって得られた受信信号強度信号から現在の受信機入力での入力信号レベルを知る。一方、ＣＤＭＡ信号の信号強度は、ベースバンド信号処理回路６で受信パイロット強度の測定により判るので、このＣＤＭＡ信号のパイロット信号強度と受信信号強度信号を比較すれば、３次相互変調ひずみによる信号４３の発生を知ることができる。または、単純にＣＤＭＡ信号のパイロット信号強度と符号誤り率を比較することによっても可能である。
【００２３】
３次相互変調ひずみによる信号４３の発生を知ることができれば、デュプレクサ２と低雑音増幅器１１の間にあるフィルタ切換スイッチ３を制御してアナログ方式帯域用フィルタ４を並列に接続する。こうすることにより、アナログ方式チャネルの信号４２をシャントし減衰することができるので、３次相互変調ひずみによる信号４３を低減することができる。
【００２４】
さらに、別の実施例として、図３の本発明の第２の実施例における携帯電話装置の構成図を説明する。
【００２５】
受信信号は、アンテナ１から直接フィルタ切換スイッチ３に入りＣＤＭＡ方式帯域用フィルタ１７またはアナログ方式帯域用フィルタ４のいずれかの通信法式に適したフィルタが選択される。このフィルタ選択のためのフィルタ切換スイッチ３を制御する方法は、第１の実施例で述べた通りである。ここで、各々の方式に対して適切なフィルタが選択され、受信帯域が決められるので不要波による妨害を著しく低減することができる。
【００２６】
また、送信信号は、電力増幅器２１で所要の出力レベルにまで増幅された後に送信帯域用フィルタ２７を介してアンテナ１から送信される。
【００２７】
さらに、この第２の実施例によれば、アンテナ１を受信用アンテナと送信用アンテナに分けて、２つの独立したアンテナを用いる構成にすることも可能であり、この場合、ＣＤＭＡ方式帯域用フィルタ１７、アナログ方式帯域用フィルタ４および送信帯域用フィルタ２７の減衰帯域特性を緩和することが可能で、フィルタの製作が容易になるという利点もある。
【００２８】
上記２つの実施例では、ＣＤＭＡ自動車携帯電話システムの移動局装置を用いて説明したが、本発明は、必ずしもこの方式に限定されるべきものではなく、本発明の目的を達成するために考えうる他の構成についても、これを包含するものである。さらに、実施例の中で説明している装置の構成、手段などは、実施例に示したものに限定するものではない。
【００２９】
以上説明したように、本実施例にかかる携帯電話装置は、受信回路の受信帯域を可変することにより、常に必要かつ十分な動作電流とすることができるので、消費電力を低減し、長時間の待ち受けが可能である。さらに、本発明は、携帯電話の受信回路に不要波が入力された場合に、増幅器や周波数変換器で発生する相互変調ひずみ波を検出して、これを自動的に低減することができる。
【００３０】
【発明の効果】
本発明によれば、携帯電話の受信回路の受信帯域を可変にすることが可能な携帯電話装置を提供することができる。
【図面の簡単な説明】
【図１】本発明の第１の実施例における携帯電話装置の構成図。
【図２】本発明の第１の実施例における受信相互変調ひずみの説明図。
【図３】本発明の第２の実施例における携帯電話装置の構成図。
【符号の説明】
１  アンテナ
２  デュプレクサ
３  フィルタ切換スイッチ
４  アナログ方式帯域用フィルタ
５  制御回路
６  ベースバンド信号処理回路
７  受話器
８  送話器
１１  低雑音増幅器
１２  高周波帯域通過フィルタ（受信系）
１３  周波数混合器（受信系）
１４  中間周波帯域通過フィルタ（受信系）
１５  可変利得増幅器（受信系）
１６  復調器
１７  ＣＤＭＡ方式帯域用フィルタ
２１  電力増幅器
２２  高周波帯域通過フィルタ（送信系）
２３  周波数混合器（送信系）
２４  中間周波帯域通過フィルタ（送信系）
２５  可変利得増幅器（送信系）
２６  変調器
２７  送信帯域用フィルタ
３１  可変周波数発振器
３２  緩衝増幅器
３３  信号分配器
４１  ＣＤＭＡ方式チャネルの信号
４２  アナログ方式チャネルの信号
４３  ３次相互変調ひずみによる信号
【図１】
0003700337.tif 000002
【図２】
0003700337.tif 000003
【図３】
0003700337.tif 000004